(57)【要約】  複数のスリーブ接点のための収容部を有するプラグスリーブ筐体と、これらのスリーブ接点と接触するプラグピンを有する集合端子とを備えた無挿抜力電気コネクタであって、これらのスリーブ接点が、それぞれ接点板を構成する基礎部材と、この基礎部材に対してスライド可能なクランプスリーブとを有し、これらのクランプスリーブが基礎部材に対してスライドした場合、これらのクランプスリーブが接点板を集合端子のプラグピンに押圧し、このプラグスリーブ筐体が、付勢された係止フックを有し、この係止フックが、プラグスリーブ筐体と集合端子の組み立て後に集合端子の係止突起と係止し、このプラグスリーブ筐体が、密閉部品を有し、この密閉部品が、プラグスリーブ筐体と集合端子の組み立て後に集合端子の内壁に当接し、掛金が、プラグスリーブ筐体に配置されており、この掛金が、プラグスリーブ筐体と集合端子の組み立て後にプラグスリーブ筐体に対してスライド可能であり、スライド後に係止フックと係止突起の係止接続をロックし、この掛金が、密閉部品の少なくとも一つの孔を通して案内された、クランプスリーブと連結されたスライダと接続されており、スライド時に、このスライダと一緒に動く無挿抜力電気コネクタが記載されている。
2015532517.tif 000002
【特許請求の範囲】
【請求項１】
複数のスリーブ接点（２）のための収容部を有するプラグスリーブ筐体（１）と、これらのスリーブ接点（２）と接触するプラグピン（７）を有する集合端子（６）とを備えた無挿抜力電気コネクタであって、
これらのスリーブ接点（２）が、それぞれ接点板（３）を構成する基礎部材（４）と、この基礎部材（４）に対してスライド可能なクランプスリーブ（５）とを有し、
これらのクランプスリーブ（５）が基礎部材（４）に対してスライドした場合、これらのクランプスリーブ（５）が接点板（３）を集合端子（６）のプラグピン（７）に押圧し、
このプラグスリーブ筐体（１）が、付勢された係止フック（８）を有し、この係止フックが、プラグスリーブ筐体（１）と集合端子（６）の組み立て後に集合端子（６）の係止突起（９）と係止し、
このプラグスリーブ筐体が、密閉部品（１０）を有し、この密閉部品が、プラグスリーブ筐体（１）と集合端子（６）の組み立て後に集合端子（６）の内壁に当接する、
無挿抜力電気コネクタにおいて、
掛金（１１）が、プラグスリーブ筐体（１）に配置されており、この掛金が、プラグスリーブ筐体（１）と集合端子（６）の組み立て後にプラグスリーブ筐体（１）に対してスライド可能であり、スライド後に係止フック（８）と係止突起（９）の係止接続をロックすることと、
この掛金（１１）が、密閉部品（１０）の少なくとも一つの孔（１２）を通して案内され且つクランプスリーブ（５）と連結されたスライダ（１３）と接続されており、スライド時に、このスライダ（１３）を一緒に動かすことと、
を特徴とする無挿抜力電気コネクタ。
【請求項２】
プラグスリーブ筐体（１）が、外側の周囲筐体（１５）と、スリーブ接点（２）を保持する接点支持体（１６）とから構成されることを特徴とする請求項１に記載の無挿抜力電気コネクタ。
【請求項３】
スライダ（１３）が、閉じたフレーム（２８）から垂直に突き出た二つの平行なピン（１４）を有することと、
このフレーム（２８）が、スリーブ接点（２）のクランプスリーブ（５）と形状を一致した形で協力して動作する成形部（３０）を有することと、
を特徴とする請求項１に記載の無挿抜力電気コネクタ。
【請求項４】
フレーム（２８）が、楕円形又は長方形の外側輪郭を有することを特徴とする請求項３に記載の無挿抜力電気コネクタ。
【請求項５】
ピン（１４）が、密閉部品（１０）の孔（１２）を貫通していることを特徴とする請求項３に記載の無挿抜力電気コネクタ。
【請求項６】
ピン（１４）と接続された二次掛金（２４）が、クランプスリーブ（５）に当接していることを特徴とする請求項１に記載の無挿抜力電気コネクタ。
【請求項７】
掛金（１１）が、成形された突起（２６）を有し、この突起が、先ずはプラグスリーブ筐体（１）の係止フック（８）によりブロックされており、周囲筐体（１５）の係止突起（９）での係止フック（８）の係止後に解放されることを特徴とする請求項１に記載の無挿抜力電気コネクタ。
【発明の詳細な説明】
【技術分野】
【０００１】
本発明は、複数のスリーブ接点のための収容部を有するプラグスリーブ筐体と、これらのスリーブ接点と接触するプラグピンを有する集合端子とを備えた無挿抜力電気コネクタであって、これらのスリーブ接点が、それぞれ接点板を構成する基礎部材と、この基礎部材に対してスライド可能なクランプスリーブとを有し、これらのクランプスリーブが基礎部材に対してスライドした場合、これらのクランプスリーブが接点板を集合端子のプラグピンに押圧し、このプラグスリーブ筐体が、付勢された係止フックを有し、この係止フックが、プラグスリーブ筐体と集合端子の組み立て後に集合端子の係止突起と係止し、このプラグスリーブ筐体が、密閉部品を有し、この密閉部品が、プラグスリーブ筐体と集合端子の組み立て後に集合端子の内壁に当接する無挿抜力電気コネクタに関する。
【背景技術】
【０００２】
そのような無挿抜力コネクタは、特許文献１により周知である。その無挿抜力コネクタは、互いに相対的な二つの係止位置を占めることができる、周囲筐体及び固定筐体と呼ばれる二つの筐体部分から成るプラグスリーブ筐体を備えている。これらの筐体部分が第一の係止位置に有ると、周囲筐体と接続されたクランプスリーブがスリーブ接点を開いた状態に保持し、そのため、集合端子と呼ばれる、相手側コネクタの接点ピンをほぼ力を加えることなくスリーブ接点と接続することができる。その集合端子の取付が、プラグスリーブ筐体の筐体部分の間の係止接続の固定を解除して、これらを互いに相対的に、クランプスリーブがスリーブ接点の接点板を集合端子の接点ピンに押圧する第二の係止位置に動かすこととなる。
【０００３】
その周囲筐体と固定筐体の間の係止機構は、集合端子の接点ピンをほぼ力を加えることなくスリーブ接点に挿入することができ、スリーブ接点の接点板と接点ピンの間の接触力がコネクタ部分の組立の最後の段階で漸く生じるように作用する。周囲筐体又は集合端子への機械的な作用が、互いに接続された電気接点部品に伝わらないか、或いはそれどころか接点部品の接続を解除できるようにするため、付勢された係止ロッカレバーが周囲筐体の外壁に形成されている。集合端子への取付時に、その係止ロッカレバーのスプリングアームが集合端子上の係止突起により係止され、それにより、両方のコネクタ部分を形状一致形態で互いに接続する。二つのコネクタ部分を必要に応じて切り離すための、その係止接続の解除は、係止ロッカレバーの自由なスプリングアームに圧力を加えることによって実行することができる。
【０００４】
その周知の無挿抜力コネクタでは、スリーブ接点でのクランプスリーブのスライドと周囲筐体及び集合端子での係止ロッカレバー及び係止突起の係止が互いに独立して行なわれている。そのため、クランプスリーブのスライドによって、周囲筐体と集合端子の間の係止接続も行なわれるか、或いはその逆も行なわれることと、周囲筐体と集合端子の互いの係止によって、クランプスリーブもその終端位置にまでスリーブ接点上をスライドされることとが保証されていない。
【先行技術文献】
【特許文献】
【０００５】
【特許文献１】ドイツ特許公開第１０２００５０４０９５２号明細書
【発明の概要】
【発明が解決しようとする課題】
【０００６】
以上のことから、本発明の課題は、コネクタ部分の完全な電気的かつ機械的接続を保証する無挿抜力電気コネクタを実現することである。
【課題を解決するための手段】
【０００７】
本課題は、本発明に基づき、掛金がプラグスリーブ筐体に配置されており、この掛金が、プラグスリーブ筐体と集合端子の組立後にプラグスリーブ筐体に対してスライド可能であり、スライド後に係止フックと係止突起の係止接続をロックすることと、この掛金が、密閉部品の少なくとも一つの孔を通して案内され且つクランプスリーブと連結されたスライダと接続されており、スライド時に、このスライダと一緒に動くこととによって解決される。
【０００８】
そのため、本発明による無挿抜力コネクタでは、プラグスリーブ筐体と集合端子の係止及びクランプスリーブのスライドが機械的に連結された部品を用いて行なわれ、その結果、二つの機械的な動きを共通にしか行なうことができない。外側から良好に識別可能な掛金のスライド位置が、同時にクランプスリーブのスライド位置も利用者に表示することとなる。
【０００９】
しかし、この場合、集合端子と接続されたプラグスリーブ筐体により形成され、密閉部品により湿気に対して保護された部屋の内部に配置されたクランプスリーブを機械的に掴む問題が有った。この密閉部品の省略は、コネクタ構成の密閉を不十分にしてしまう。
【００１０】
この問題は、密閉部品の少なくとも一つの孔を通って案内されるスライダによって解決される。それによって、密閉部品は、その位置に留まると同時に、スライダと掛金の接続部を密閉する。
【００１１】
この掛金が、プラグスリーブ筐体と集合端子の組立後に漸くプラグスリーブ筐体に対してスライド可能となるのが有利である。それによって、プラグスリーブ筐体の取付時に、この掛金が正しい取付位置に有り、そのことが、追加の取付負担を回避する。それは、掛金が成形された突起を有し、この突起が、先ずはプラグスリーブ筐体の係止フックによりブロックされ、周囲筐体の係止突起での係止フックの係止により解放されることにより有利に実現することができる。
【００１２】
本発明の別の有利な実施形態及び改善構成は、従属請求項から明らかとなる。本発明による無挿抜力コネクタの実施例が図面に図示されており、以下において、その図面に基づき詳しく説明する。
【図面の簡単な説明】
【００１３】
【図１】接続されていない状態のプラグスリーブ筐体と集合端子の断面図
【図２】掛金の基本位置における互いに接続された状態のプラグスリーブ筐体と集合端子の断面図
【図３】掛金をスライドした場合の図２の構成図
【図４】集合端子と接続されたプラグスリーブ筐体の部分断面図
【図５】集合端子と接続されたプラグスリーブ筐体の部分断面図
【図６】図５の詳細図
【図７】スリーブ接点の二つの斜視図
【発明を実施するための形態】
【００１４】
図１には、本発明による無挿抜力コネクタの互いに接続可能な二つのコネクタ部分１，６が、未だ接続されていない状態で図示されている。この場合、これらのコネクタ部分１，６は、特に、プラグスリーブ筐体１及び集合端子６とも呼ばれる。
【００１５】
このプラグスリーブ筐体１は、図５で特に明らかに分かる、一体として、或いは互いに接続される個別部品として構成することができる、外側の周囲筐体１５と内側の接点支持体１６から構成される。この接点支持体１６は、金属から成形されたスリーブ接点２が差し込まれる複数の管状の収容部２５を有する。
【００１６】
図７は、既に特許文献１に記載されている通りのスリーブ接点２を個別部品として二つの図面ａ）とｂ）で図示している。このスリーブ接点２は、電気配線２２と接続された金属製の基礎部材４から構成される。この配線２２は、圧着接続部２０を用いて基礎部材４と電気的かつ機械的に接続された電気導体１７を有する。この電気配線２２を取り囲むラバーシール１８は、配線２２から基礎部材４への移行領域において、二つの屈曲継目板１９により基礎部材４と固定されている。より見易くするために、これ以外の図では電気配線の図示を省略している。
【００１７】
基礎部材４上に互いに並んで一体的に成形された二つの接点板３（これらの隙間２１に、この図面には図示されていない平坦なプラグピンを差し込むことが可能である）が、基礎部材４の自由端区画を構成している。これらの接点板３の終端は、それぞれ外側に向かって折り曲げられている。基礎部材の横断面を部分的に包み込むクランプスリーブ５が、基礎部材４に付勢された形で固定されている。このクランプスリーブ５は、横断面において、平坦なばね特性を生じさせる複数のスリット形状の貫通孔２３を有する。更に、このクランプスリーブ５は、基礎部材４に沿ってスライド可能に配置されている。このクランプスリーブ５が、図面ｂ）に図示されている通り、接点板３の領域内に有る場合、クランプスリーブ５は、接点板３を互いに押圧する。それに対して、このクランプスリーブ５が、図面ａ）に対応して、接点板３から離れた位置に有る場合、クランプスリーブ５による圧力が接点板３に加わらない。従って、基礎部材４上でのクランプスリーブ５の後者の位置は、ほぼ力を加えることなく接点ピンを接点板３の間の隙間２１に差し込むことを可能にしている。
【００１８】
図１では、周囲筐体１５上にスライド可能に配置された掛金１１はプラグスリーブ筐体１に属する。図４と５から明らかな通り、この掛金１１は、それぞれスライダ１３のピン１４と接続された二つのアーム２７を有する。これらのピン１４は、接点支持体１６を取り囲む、コネクタ部分１，６の相互接続時に集合端子６に対して接点支持体１６を密閉する密閉部品１０内の孔１２を貫通している。
【００１９】
図６には、密閉部品１０内の孔１２をピン１４が貫通する形態が、図５の区画Ａを拡大した形で図示されている。このピン１４は、孔１２に沿ってスライドすることができ、この弾性ゴム状の密閉部品１０は、常に湿気を通さない形でピン１４を取り囲んでいる。この例で円筒形状に図示されたピン１４の実現形態に関して、当然のことながら、それ以外の、例えば、楕円形又は多角形の横断面輪郭を規定することもできる。
【００２０】
図５において、特に図４で明らかな通り、スライダ１３の別の構成部品として、二つのピン１４と接続されたフレーム２８が識別可能である。このフレーム２８の成形部３０が、図７に図示されているクランプスリーブ５のスリット形状の貫通孔２３に係合し、それにより、スライダ１３の垂直方向の動きが、スリーブ接点２の基礎部材４に対してクランプスリーブ５をスライドさせる。この集合端子６とのプラグスリーブ筐体１の接続は、以下の通り行なわれる。既に言及した通り、図１は、未だ接続されていない状態の二つのコネクタ部分１．６を図示している。プラグスリーブ筐体１上に付勢された形の成形された係止フック８が、掛金１１上に成形された突起２６に対する障害物となっており、そのため、プラグスリーブ筐体１に対する掛金１１のスライドを阻止しているので、プラグスリーブ筐体１上の掛金１１は、その初期位置に有る。クランプスリーブ５が、スライダ１３を介して掛金１１と機械的に連結されている場合、スリーブ接点２のクランプスリーブ５も、集合端子６のプラグピン７をスリーブ接点２に差し込むことを可能な、その基本位置に有る。
【００２１】
それによって、プラグスリーブ筐体１を集合端子６に取り付けることができ、その際、プラグピン７は、それに対応するスリーブ接点２内に入り込む。それによって得られる取付状態が図２に断面図で図示されている。ここで、プラグスリーブ筐体１の係止フック８が、集合端子６の係止突起９の後で係止していることが分かる。この係止突起９は、掛金１１の突起２６と当接しており、それにより、この突起２６は、掛金１１の操作部品２９に圧力を加えた時に、係止突起９により案内され、掛金１１が、プラグスリーブ筐体１に対してスライドされる。
【００２２】
このスライド運動時に、掛金１１は、機械的に連結されたスライダ１３と一緒に動く。密閉部品１０を通して案内された二つのピン１４は、それらの下側において、クランプスリーブ５と機械的に係合する、スリーブ接点２の数と等しい数の成形部３０を有する楕円形又は長方形のフレーム２８と一体的に接続されている。更に、二つのピン１４と接続された、クランプスリーブ５の上側に当接する二次掛金２４が配備されている。このスライダ１３の動きは、そのようにしてスリーブ接点２に対してクランプスリーブ５をスライドさせ、それにより、スリーブ接点２の接点板３が、集合端子６のプラグピン７の周囲を密に取り囲む。
【００２３】
最終的に、掛金１１、スライダ１３及びクランプスリーブ５が、図３の図面において明らかな、それらの終端位置に到達する。この掛金１１は、その終端位置で係止フック８と係止突起９の互いに相対的な動きを阻止し、それにより、ここで、プラグスリーブ筐体１と集合端子６が、互いに形状を一致した形で接続されてロックされる。そのため、コネクタ部分１，６の互いのロックとクランプスリーブ５のスライドによるスリーブ接点２の作動とが、掛金１１のスライドによって、単一の取付工程で同時に実現される。
【００２４】
コネクタ部分１，６の分離は、この接続プロセスの正確に逆の順序で行なわれる。二つのコネクタ部分１，６を互いに切り離すために、先ずは掛金１１を引く、即ち、図２に図示された位置に動かす。その後、プラグスリーブ筐体１を集合端子６から分離することができる。
【符号の説明】
【００２５】
１    プラグスリーブ筐体
２    スリーブ接点
３    接点板
４    基礎部材
５    クランプスリーブ
６    集合端子
７    プラグピン
８    係止フック
９    係止突起
１０    密閉部品
１１    掛金
１２    孔
１３    スライダ
１４    ピン
１５    周囲筐体
１６    接点支持体
１７    導体
１８    ラバーシール
１９    屈曲継目板
２０    圧着接続部
２１    隙間
２２    配線
２３    貫通孔
２４    二次掛金
２５    収容部
２６    突起
２７    アーム
２８    フレーム
２９    操作部品
３０    成形部
１，６  コネクタ部分
Ａ    区画
【図１】
2015532517.tif 000003
【図２】
2015532517.tif 000004
【図３】
2015532517.tif 000005
【図４】
2015532517.tif 000006
【図５】
2015532517.tif 000007
【図６】
2015532517.tif 000008
【図７ａ）】
2015532517.tif 000009
【図７ｂ）】
2015532517.tif 000010
【国際調査報告】
2015532517.tif 000011
2015532517.tif 000012
2015532517.tif 000013
2015532517.tif 000014